(57)【特許請求の範囲】
【請求項１】
それぞれ所定のアプリケーションに用いられるデータが格納された複数のＩＣモジュールが搭載され、情報書込／読出装置にかざした場合に、前記ＩＣモジュールに接続された２つのアンテナのうち一方がアースとして機能することにより、前記情報書込／読出装置にて前記ＩＣモジュールに対して静電結合方式を用いて情報の書き込みあるいは読み出しが行われる非接触型ＩＣカードであって、
前記複数のＩＣモジュールに接続され、前記ＩＣモジュールを接地させるために十分な面積を有する第１のアンテナと、
前記複数のＩＣモジュール毎に、該ＩＣモジュールに接続され、外部から人体が接触可能に設けられた接触用端子とを有し、
前記複数の接触用端子のうち１つの接触用端子に人体が接触すると該人体が第２のアンテナとして機能し、当該接触用端子に人体が接触した状態で情報書込／読出装置にかざした場合に前記第１及び第２のアンテナのうち一方がアースとして機能することにより、前記情報書込／読出装置にて前記複数のＩＣモジュールのうち人体が接触している接触用端子に接続されたＩＣモジュールに対して情報の書き込みあるいは読み出しが行われる非接触型ＩＣカード。
【請求項２】
請求項１に記載の非接触型ＩＣカードにおいて、
前記アンテナと前記ＩＣモジュールと前記接触用端子とは、当該非接触型ＩＣカードの両面に設けられ、前記接触用端子が設けられている箇所の裏面には他の前記ＩＣモジュールに接続された前記接触用端子が設けられていないことを特徴とする非接触型ＩＣカード。
【発明の詳細な説明】
【０００１】
【発明の属する技術分野】
本発明は、非接触型ＩＣカード及びその使用方法に関し、特に、静電結合方式の非接触型ＩＣカード及びその使用方法に関する。
【０００２】
【従来の技術】
近年、情報化社会の進展に伴って、情報をカードに記録し、該カードを用いた情報管理や決済等が行われている。
【０００３】
このような情報管理や決済等に用いられるカードとしては、近年、専用の装置に近接させるだけで情報の書き込み及び読み出しを行うことができる非接触型ＩＣカードが、セキュリティ性が高いとともに書き込み可能な情報量が多く、また、１枚のカードを多目的に使用でき、また、取り扱いに便利であるという利点を有することから、市場における普及度が増加の一途を辿っている。
【０００４】
この非接触型ＩＣカードとしては、交流磁界によるコイルの相互誘導を利用した電磁結合方式のものと、２つのコイルの誘電磁束による誘起電力を利用した電磁誘導方式のものと、マイクロ波によってデータを送受信するマイクロ波方式のものと、カード側と外部に設けられた情報書込／読出側のアンテナ間をコンデンサ原理で帯電させて通信を行う静電結合方式のものと、近赤外線光を高速で点滅させて光のエネルギー変調を用いた光方式のものとがある。このような非接触型ＩＣカードの中で、カード側と外部に設けられた情報書込／読出側のアンテナ間をコンデンサ原理で帯電させて通信を行う静電結合方式のものは、カードからＩＣチップを取り外すことが可能であるため、利用可能なアプリケーションを変更することができる。
【０００５】
図５は、静電結合方式の非接触型ＩＣカードの構造の一例を示す図であり、（ａ）は表面構造を示す図、（ｂ）は断面図である。
【０００６】
図５に示すように本従来例においては、ベース材１０５に、アンテナ１０２ａ，１０２ｂが互いに所定の間隔を有して印刷されており、そのアンテナ１０２ａ，１０２ｂを跨ぐように、接点１０６ａ，１０６ｂを介してアンテナ１０２ａ，１０２ｂとそれぞれ接続されたＩＣチップ１０１が接着剤１０４によって剥離可能に接着されている。
【０００７】
上記のように構成された静電結合方式の非接触型ＩＣカードにおいては、アンテナ１０２ａ，１０２ｂと外部の情報書込／読出装置（不図示）のアンテナとの間にてコンデンサ原理で帯電を生じさせ、それにより、ＩＣチップ１０１に対する情報の書き込み及び読み出しが行われる。なお、その際、ＩＣチップ１０１を確実に接地させなければ通信可能距離が非常に短いものとなるため、所定の大きさの２つのアンテナ１０２ａ，１０２ｂを設け、かつ、２つのアンテナ１０２ａ，１０２ｂを跨ぐようにＩＣチップ１０１を搭載している。それにより、アンテナ１０２ａ，１０２ｂのうち一方のアンテナをアースとして機能させてＩＣチップ１０１を確実に接地させるようにし、通信可能距離が所定の値となるように制御している。
【０００８】
上述したような静電結合方式の非接触型ＩＣカードを、複数のアプリケーションに使用する場合は、ＩＣチップ１０１をアプリケーション毎に交換することや、ＩＣチップ１０１に複数のアプリケーション用のデータを格納しておくこと等が考えられる。
【０００９】
ところが、ＩＣチップ１０１をアプリケーション毎に交換する場合は、そのための手間がかかってしまうため、ユーザにとってはアプリケーション毎のカードを所持している方が便利となるが、その場合、ユーザが利用するアプリケーションの数が多いと、用途の混乱から利便性の低下を招いてしまう虞れがある。
【００１０】
また、ＩＣチップ１０１に複数のアプリケーションに用いられるデータを格納しておく場合は、ＩＣチップ１０１を、そのための大きな容量を有するものとする必要が生じ、高価なものとなってしまう。
【００１１】
そこで、複数のＩＣチップを搭載し、それにより複数のアプリケーションを利用可能とする非接触型ＩＣカードが考えられている。
【００１２】
【発明が解決しようとする課題】
しかしながら、上述したように１枚の静電結合方式の非接触型ＩＣカードに複数のＩＣチップを搭載し、それにより、１枚のカードで複数のアプリケーションを利用する場合、情報の読み取りあるいは書き込み時において、このカードで利用可能なアプリケーションの中からユーザが利用するアプリケーションを情報書込／読出装置を用いて選択しなければならず、そのための手間がかかってしまうという問題点がある。
【００１３】
本発明は、上述したような従来の技術が有する問題点に鑑みてなされたものであって、安価にかつ、利用するアプリケーションを容易に選択可能な、複数のアプリケーションに利用することができる非接触型ＩＣカード及びその利用方法を提供することを目的とする。
【００１４】
【課題を解決するための手段】
上記目的を達成するために本発明は、
それぞれ所定のアプリケーションに用いられるデータが格納された複数のＩＣモジュールが搭載され、情報書込／読出装置にかざした場合に、前記ＩＣモジュールに接続された２つのアンテナのうち一方がアースとして機能することにより、前記情報書込／読出装置にて前記ＩＣモジュールに対して静電結合方式を用いて情報の書き込みあるいは読み出しが行われる非接触型ＩＣカードであって、
前記複数のＩＣモジュールに接続され、前記ＩＣモジュールを接地させるために十分な面積を有する第１のアンテナと、
前記複数のＩＣモジュール毎に、該ＩＣモジュールに接続され、外部から人体が接触可能に設けられた接触用端子とを有し、
前記複数の接触用端子のうち１つの接触用端子に人体が接触すると該人体が第２のアンテナとして機能し、当該接触用端子に人体が接触した状態で情報書込／読出装置にかざした場合に前記第１及び第２のアンテナのうち一方がアースとして機能することにより、前記情報書込／読出装置にて前記複数のＩＣモジュールのうち人体が接触している接触用端子に接続されたＩＣモジュールに対して情報の書き込みあるいは読み出しが行われる。
【００１５】
また、前記アンテナと前記ＩＣモジュールと前記接触用端子とは、当該非接触型ＩＣカードの両面に設けられ、前記接触用端子が設けられている箇所の裏面には他の前記ＩＣモジュールに接続された前記接触用端子が設けられていないことを特徴とする。
【００１７】
（作用）
上記のように構成された本発明においては、それぞれ所定のアプリケーションに用いられるデータが格納された複数のＩＣモジュールが搭載され、ＩＣモジュールに対して静電結合方式を用いて情報の書き込みあるいは読み出しを行うことにより複数のアプリケーションに利用することができる非接触型ＩＣカードに、複数のＩＣモジュールに接続され、ＩＣモジュールを接地させるために十分な面積を有するアンテナと、複数のＩＣモジュール毎に、該ＩＣモジュールに接続されるとともに外部から接触可能な接触用端子とが設けられており、ユーザは、非接触型ＩＣカードを用いて所望のアプリケーションを利用する場合、該アプリケーションに用いられるデータが格納されたＩＣモジュールに接続された接触用端子に触れるように非接触型ＩＣカードを持つ。すると、所望のアプリケーションに用いられるデータが格納されたＩＣモジュールがアンテナと人体とに跨いで接続される構成となり、アンテナと人体とのいずれか一方がアースとして機能し、それにより、所望のアプリケーションに用いられるデータが格納されたＩＣモジュールが確実に接地される。これにより、所望のアプリケーションに用いられるデータが格納されたＩＣモジュールのみに対して情報の書き込み及び読み出しが可能となり、該ＩＣモジュールによって所望のアプリケーションを利用することができるようになる。
【００１８】
【発明の実施の形態】
以下に、本発明の実施の形態について図面を参照して説明する。
【００１９】
図１は、本発明の非接触型ＩＣカードの実施の一形態を示す図であり、（ａ）は表面構造を示す図、（ｂ）は（ａ）に示したＡ−Ａ’断面図、（ｃ）は（ａ）に示したＢ−Ｂ’断面図である。
【００２０】
図１に示すように本形態においては、ベース材５に、第１のアンテナ２及びアンテナ２と同一の素材からなる接触用端子７ａ，７ｂが互いに所定の間隔を有して印刷されており、アンテナ２と接触用端子７ａとを跨ぐように、接点６ａ，６ｂを介してアンテナ２及び接触用端子７ａとそれぞれ接続されたＩＣチップ１ａが接着剤４によって剥離可能に接着され、同様に、アンテナ２と接触用端子７ｂとを跨ぐように、接点６ｃ，６ｄを介してアンテナ２及び接触用端子７ｂとそれぞれ接続されたＩＣチップ１ｂが接着剤４によって剥離可能に接着されている。
【００２１】
ＩＣチップ１ａ，１ｂには、それぞれ利用可能なアプリケーションに用いられるデータが格納されているとともに、そのアプリケーションを識別可能な識別子が格納されている。ここで、ＩＣチップ１ａに格納されたデータを用いて利用可能なアプリケーションをアプリケーションＡとし、また、ＩＣチップ１ｂに格納されたデータを用いて利用可能なアプリケーションをアプリケーションＢとする。これらのアプリケーションとしては、チケット購入を含むイベント等の来場者管理や、交通機関における乗車管理等が挙げられる。
【００２２】
また、ＩＣチップ１ａ，１ｂ上に、ＩＣチップ１ａ，１ｂを保護するための保護ラベル（不図示）を、ＩＣチップ１ａ，１ｂを覆うように設けてもよい。
【００２３】
以下に、静電結合方式の非接触型ＩＣカードに設けられるアンテナの形状について詳細に説明する。
【００２４】
一般に、静電結合方式の非接触型ＩＣカードにおいては、非接触型ＩＣカードに設けられたアンテナと外部の情報書込／読出装置（不図示）のアンテナとの間にてコンデンサ原理で帯電を生じさせ、それにより、ＩＣチップに対する情報の書き込み及び読み出しが行われるが、その際、ＩＣチップを確実に接地させなければ通信可能距離が非常に短いものとなる。そのため、所定の大きさ以上の面積を有する２つのアンテナが設けられており、その２つのアンテナを跨ぐようにＩＣチップが搭載されている。それにより、２つのアンテナのうち一方のアンテナがアースとして機能してＩＣチップが確実に接地されることになり、通信可能距離が所定の値以上となるように制御されている。
【００２５】
本形態においては、ＩＣチップ１ａ，１ｂがそれぞれ接続されているアンテナはアンテナ２の１つのみであって、ＩＣチップ１ａは、アンテナ２の他に接触用端子７ａと接続され、アンテナ２と接触用端子７ａとを跨ぐように設けられており、また、ＩＣチップ１ｂはアンテナ２の他に接触用端子７ｂと接続され、アンテナ２と接触用端子７ｂとを跨ぐように設けられている。ここで、接触用端子７ａ，７ｂは、上述したような、ＩＣチップ１ａ，１ｂを確実に接地させるために必要となる大きさ以上の面積を有していないため、図１に示したような非接触型ＩＣカードをこのまま使用した場合は、ＩＣチップ１ａ，１ｂが確実に接地されずに通信可能距離が非常に短いものとなり、アプリケーションＡ，Ｂともに利用することができない。
【００２６】
以下に、上記のように構成された非接触型ＩＣカードの使用方法について説明する。
【００２７】
図２は、図１に示した非接触型ＩＣカードの使用方法を説明するための図であり、また、図３は、図２を用いて説明した使用方法で非接触型ＩＣカードが使用された場合の情報書込／読出装置における処理を説明するためのフローチャートである。なお、本形態における情報書込／読出装置においては、複数のアプリケーションに対応するプログラムが格納されており、それぞれのアプリケーションに適応することができるものとする。
【００２８】
例えば、図１に示した非接触型ＩＣカードを用いてアプリケーションＡを利用する場合は、ユーザは図２に示すように、ＩＣチップ１ａに接続された接触用端子７ａに触れるように非接触型ＩＣカードを持つ。
【００２９】
すると、接触用端子７ａと人体が接触することにより人体が第２のアンテナの代わりとなり、ＩＣチップ１ａがアンテナ２と人体によるアンテナとの間に跨ぐように接続される構成となる。人体においては、静電結合方式の非接触型ＩＣカードにてＩＣチップ１ａを確実に接地させるために必要とされる大きさ以上の面積を有するアンテナと同等もしくはそれ以上の作用が生じるため、アンテナ２または人体がアースとして機能し、それにより、ＩＣチップ１ａが確実に接地され、静電結合方式の非接触型ＩＣカードにおける通信可能距離を十分に満たすものとすることができる。
【００３０】
このような状態で情報書込／読出装置に非接触型ＩＣカードをかざすと、まず、情報書込／読出装置において、ＩＣチップ１ａに格納されたデータが読み出され（ステップＳ１）、読み出されたデータの中に、アプリケーションを識別するための識別子が含まれているかどうかが判断される（ステップＳ２）。
【００３１】
ＩＣチップ１ａからアプリケーションを識別するための識別子が読み出された場合、その識別子によって識別されるアプリケーションがどのアプリケーションであるかが判断される（ステップＳ３）。
【００３２】
本形態においては、ＩＣチップ１ａから識別子が読み出されるため、アプリケーションＡを識別するための識別子が読み出され（ステップＳ４）、アプリケーションＡに対応するプログラムが起動する（ステップＳ５）。
【００３３】
また、ＩＣチップ１ｂから識別子が読み出された場合は（ステップＳ６）、アプリケーションＢに対応するプログラムが起動する（ステップＳ７）。
【００３４】
その後、図２に示したような状態で非接触型ＩＣカードと情報書込／読出装置との間にてデータの送受信が行われることになる。
【００３５】
このように、本形態においては、複数のアプリケーションに利用可能な非接触型ＩＣカードを所望のアプリケーションに利用する際、利用するアプリケーションに用いられるデータが格納されたＩＣチップが接続された接触用端子に触れると、ＩＣチップが接続されたアンテナと人体とのいずれか一方がアースとして機能し、該ＩＣチップが確実に接地されることになり、それにより、所望のアプリケーションを利用することができる。これにより、複数のアプリケーションに利用可能な非接触型ＩＣカードを高価なものとせず、かつ、該非接触型ＩＣカードを用いて所望のアプリケーションを利用する場合に、利用するアプリケーションを容易に選択することができる。
【００３６】
なお、上述した実施の形態においては、２つのＩＣチップが搭載され、２つのアプリケーションに利用可能なものとしてが、本発明は、これに限らず、カードに搭載するＩＣチップの数を増やせば、それだけの数のアプリケーションが１枚のカードで利用可能となる。また、それらのＩＣチップは剥離可能に搭載されているため、交換することにより、利用可能なアプリケーションを追加することができる。
【００３７】
（他の実施の形態）
上述した実施の形態のように、非接触型ＩＣカードの表面のみにアンテナ、ＩＣチップ及び接触用端子を設けるのではなく、非接触型ＩＣカードの裏面にもアンテナ、ＩＣチップ及び接触用端子を設けることにより、さらに多くのアプリケーションを利用可能とすることも可能である。
【００３８】
図４は、本発明の非接触型ＩＣカードの他の実施の形態を示す図であり、（ａ）は表面構造を示す図、（ｂ）は裏面構造を示す図である。
【００３９】
図４に示すように本形態においては、ベース材５の表面に、アンテナ２ａ及び接触用端子７ａ，７ｂが互いに所定の間隔を有して印刷されており、アンテナ２ａと接触用端子７ａとを跨ぐようにアンテナ２ａ及び接触用端子７ａとそれぞれ接続されたＩＣチップ１ａが剥離可能に接着され、同様に、アンテナ２ａと接触用端子７ｂとを跨ぐようにアンテナ２ａ及び接触用端子７ｂとそれぞれ接続されたＩＣチップ１ｂが剥離可能に接着されている。また、ベース材５の裏面には、アンテナ２ｂ及び接触用端子７ｃ，７ｄが互いに所定の間隔を有して印刷されており、アンテナ２ｂと接触用端子７ｃとを跨ぐようにアンテナ２ｂ及び接触用端子７ｃとそれぞれ接続されたＩＣチップ１ｃが剥離可能に接着され、同様に、アンテナ２ｂと接触用端子７ｄとを跨ぐようにアンテナ２ｂ及び接触用端子７ｄとそれぞれ接続されたＩＣチップ１ｄが剥離可能に接着されている。ここで、アンテナ２ａが印刷された裏面には、接触用端子７ｃ，７ｄがそれぞれ印刷されており、接触用端子７ａ，７ｂが印刷された裏面には、アンテナ２ｂが印刷されている。
【００４０】
ＩＣチップ１ａ，１ｂ，１ｃ，１ｄには、それぞれ異なるアプリケーションに用いられるデータ及びそのアプリケーションを識別可能な識別子が格納されており、ＩＣチップ１ａ，１ｂ，１ｃ，１ｄを選択することにより、所望のアプリケーションが利用可能となる。
【００４１】
上記のように構成された非接触型ＩＣカードにおいては、図１に示したものと同様に、ユーザは、利用したいアプリケーションに用いられるデータが格納されたＩＣチップに接続された接触用端子に触れることにより、アプリケーションを選択する。
【００４２】
例えば、ＩＣチップ１ｂに格納されたデータが用いられるアプリケーションを利用する場合は、ユーザは、ＩＣチップ１ｂに接続された接触用端子７ｂに触れるように非接触型ＩＣカードを持つ。
【００４３】
すると、ＩＣチップ１ｂは、アンテナ２ａと人体によるアンテナとを跨ぐように接続されることになり、アンテナ２ａと人体とのいずれか一方がアースとして機能し、それにより、ＩＣチップ１ｂが確実に接地され、静電結合方式の非接触型ＩＣカードにおける通信可能距離を十分満たすようになる。
【００４４】
これにより、ユーザは、ＩＣチップ１ｂに格納されたデータが用いられるアプリケーションを利用することができるようになる。
【００４５】
ここで、ユーザが触れた接触用端子７ｂの裏面には、他の接触用端子が設けられていないため、他のアプリケーションが選択されてしまうことはない。
【００４６】
【発明の効果】
以上説明したように本発明においては、それぞれ所定のアプリケーションに用いられるデータが格納された複数のＩＣモジュールが搭載され、ＩＣモジュールに対して静電結合方式を用いて情報の書き込みあるいは読み出しを行うことにより複数のアプリケーションに利用することができる非接触型ＩＣカードに、複数のＩＣモジュールに接続され、ＩＣモジュールを接地させるために十分な面積を有するアンテナと、複数のＩＣモジュール毎に、該ＩＣモジュールに接続されるとともに外部から接触可能な接触用端子とを設けたため、ユーザが、非接触型ＩＣカードを用いて所望のアプリケーションを利用する場合、該アプリケーションに用いられるデータが格納されたＩＣモジュールに接続された接触用端子に触れるように非接触型ＩＣカードを持てば、所望のアプリケーションに用いられるデータが格納されたＩＣモジュールがアンテナと人体とに跨いで接続される構成となり、アンテナと人体とのいずれか一方がアースとして機能し、それにより、所望のアプリケーションに用いられるデータが格納されたＩＣモジュールを確実に接地させることができ、所望のアプリケーションに用いられるデータが格納されたＩＣモジュールによって所望のアプリケーションを利用することができるようになる。
【００４７】
これにより、安価にかつ、利用するアプリケーションを容易に選択可能な、複数のアプリケーションに利用することができる非接触型ＩＣカードを提供することができる。
【図面の簡単な説明】
【図１】本発明の非接触型ＩＣカードの実施の一形態を示す図であり、（ａ）は表面構造を示す図、（ｂ）は（ａ）に示したＡ−Ａ’断面図、（ｃ）は（ａ）に示したＢ−Ｂ’断面図である。
【図２】図１に示した非接触型ＩＣカードの使用方法を説明するための図である。
【図３】図２を用いて説明した使用方法で非接触型ＩＣカードが使用された場合の情報書込／読出装置における処理を説明するためのフローチャートである。
【図４】本発明の非接触型ＩＣカードの他の実施の形態を示す図であり、（ａ）は表面構造を示す図、（ｂ）は裏面構造を示す図である。
【図５】静電結合方式の非接触型ＩＣカードの構造の一例を示す図であり、（ａ）は表面構造を示す図、（ｂ）は断面図である。
【符号の説明】
１ａ，１ｂ，１ｃ，１ｄ    ＩＣチップ
２，２ａ，２ｂ    アンテナ
４    接着剤
５    ベース材
６ａ，６ｂ，６ｃ，６ｄ    接点
７ａ，７ｂ，７ｃ，７ｄ    接触用端子
【図１】
0004677108.tif 000002
【図２】
0004677108.tif 000003
【図３】
0004677108.tif 000004
【図４】
0004677108.tif 000005
【図５】
0004677108.tif 000006